(57)【要約】 【課題】  取り付け方向に関わらずハウジングの共用化を図れる基板用コネクタを提供することにある。【解決手段】  基板用コネクタ１のハウジング２には、このハウジング２の両側壁部５に設けられる第１固定部７Ａと、このハウジング２の天壁部６に設けられる第２固定部７Ｂとの２種類を備える。このような構成によれば、開口面２Ａを回路基板Ｃの板面方向に向けて固定する場合には第１固定部７Ａを、開口面２Ａを回路基板Ｃの板面方向と直交する方向に向けて固定する場合には第２固定部７Ａを、それぞれ使用してハウジング２を回路基板Ｃに固定すれば良い。このように、どちらの取り付け方向であっても１つのハウジング２で対応することができ、ハウジング２の共用化を図れる。【選択図】  図１
2005150016.tif 000002
【特許請求の範囲】
【請求項１】
相手側コネクタを嵌合可能なハウジングと、このハウジングの外面に突設されて前記ハウジングを回路基板に固定可能な固定部を備えた基板用コネクタであって、
前記固定部は、前記ハウジングにおける相手側コネクタとの嵌合面が前記回路基板の板面方向を向いた姿勢で前記ハウジングの取付けを可能とする第１固定部と、前記嵌合面が前記回路基板の板面方向と直交する方向を向いた姿勢で前記ハウジングの取付けを可能とする第２固定部とからなっていることを特徴とする基板用コネクタ。
【請求項２】
前記両固定部はそれぞれ少なくとも一対を有するとともに、前記第１固定部を構成する対のものは、前記ハウジングにおける対向する両側面にそれぞれ配され、
第２固定部は、前記ハウジングにおける前記第１固定部が配された側面とは異なる面であって、前記第１固定部にて前記ハウジングが固定されたときに同ハウジングにおける前記回路基板と向き合う面と反対側の側面に共に配されていることを特徴とする請求項１記載の基板用コネクタ。
【発明の詳細な説明】
【技術分野】
【０００１】
本発明は、基板用コネクタに関する。
【背景技術】
【０００２】
従来、回路基板に取り付けられる基板用コネクタとしては、基板への取り付け方向が異なる２種類のもの、すなわち、相手側コネクタが嵌合される嵌合凹部の開口部を側方に向けて基板に固定する水平取付型のもの（特許文献１参照）と、上方に向けて基板に固定する垂直取付型のもの（特許文献２参照）とが存在する。
【特許文献１】特開２０００−１５００２７公報
【特許文献２】特開平１１−２６５７５５号公報
【発明の開示】
【発明が解決しようとする課題】
【０００３】
ところで、この種のコネクタは、基板との接触面に沿って両側方へ突出する一対の取付部を設け、その取付部に設けた位置決め孔に貫通したビスを回路基板のビス孔にねじ付けることにより、回路基板に固定されるようになっている。
したがって、取り付け方向に応じて取付部の突出位置が異なる２種類のハウジングを用意しなければならなかった。
【０００４】
本発明は、上記した事情に鑑みてなされたものであり、その目的は、取り付け方向に関わらずハウジングの共用化を図れる基板用コネクタを提供することにある。
【課題を解決するための手段】
【０００５】
上記の課題を解決するために請求項１の発明に係る基板用コネクタは、相手側コネクタを嵌合可能なハウジングと、このハウジングの外面に突設されて前記ハウジングを回路基板に固定可能な固定部を備えた基板用コネクタであって、前記固定部は、前記ハウジングにおける相手側コネクタとの嵌合面が前記回路基板の板面方向を向いた姿勢で前記ハウジングの取付けを可能とする第１固定部と、前記嵌合面が前記回路基板の板面方向と直交する方向を向いた姿勢で前記ハウジングの取付けを可能とする第２固定部とからなっていることを特徴とする。
【０００６】
請求項２の発明は、請求項１に記載の基板用コネクタであって、前記両固定部はそれぞれ少なくとも一対を有するとともに、前記第１固定部を構成する対のものは、前記ハウジングにおける対向する両側面にそれぞれ配され、第２固定部は、前記ハウジングにおける前記第１固定部が配された側面とは異なる面であって、前記第１固定部にて前記ハウジングが固定されたときに同ハウジングにおける前記回路基板と向き合う面と反対側の側面に共に配されていることを特徴とする。
【発明の効果】
【０００７】
請求項１の発明によれば、ハウジングの両固定部を適宜に選択して回路基板に対する取付けを行えば、ハウジングの取付け姿勢を要求される仕様に応じて変更することができる。かくして、一つのハウジングで回路基板に対する取付け姿勢を選択することができるから、ハウジングの共用化によってコストの低減を図ることができる。
【０００８】
請求項２の発明によれば、第２固定部を構成する対のものを、第１固定部にてハウジングを回路基板に取り付けたときにこの回路基板と向き合う面と反対側の面に共に配するようにしている。つまり第２固定部を構成する対のものを、ハウジングの対向する面に分けて配置するのでなく、一方の面に集めて配置している。このようにすることで、第１固定部を使ってハウジングの固定を行う場合に、回路基板と向き合う側の面に第２固定部を構成する対の片側のものが配されていない分、ハウジングを回路基板に近づけて配置することができる。
【発明を実施するための最良の形態】
【０００９】
以下、本発明の基板用コネクタを具体化した一実施形態について、図１〜図６を参照しつつ詳細に説明する。
【００１０】
図１には、本実施形態の基板用コネクタ１を示す。この基板用コネクタ１には内部に相手側コネクタを嵌合可能なハウジング２が備えられている。ハウジング２は、合成樹脂により前方に開口されたボックス状に形成されており、相手側コネクタの周囲を囲む底壁部４、左右両側壁部５および天壁部６と、相手側コネクタの嵌合面に対向する後壁部３とを備えている。この基板用コネクタ１は、回路基板Ｃへの取り付け方向として、ハウジング２の開口面２Ａ（本発明の嵌合面に該当する）が回路基板Ｃの板面方向を向く方向、または開口面２Ａが回路基板Ｃの板厚方向を向く方向のいずれかを選べるようになっている。
【００１１】
このハウジング２の後壁部３には、複数本の端子金具１０が所定の間隔を空けて圧入されている。端子金具１０の後端部は後壁部３から突出されて、回路基板Ｃに接続するためのリード部１１とされる。このリード部１１は、回路基板Ｃに設けられたスルーホールＳを貫通するとともに、はんだ付けによって対応する導体回路（図示せず）に電気的に接続されるようになっている。
【００１２】
ハウジング２には、略半円板状に形成されて回路基板Ｃに固定される固定部７が設けられている。この固定部７としては、２種類が設定されている。１つの種類は、開口面２Ａを板面方向に向けてハウジング２を回路基板Ｃに固定するための、第１固定部７Ａである（図１〜図３参照）。この固定部７Ａは、ハウジング２における左右両側壁部５（本発明の側面に該当する）の後端付近から、それぞれ底壁部４に沿って側方へ突出され、その底面がハウジングの底壁部４と面一となるようにされている。
【００１３】
他の種類は、開口面２Ａを板厚方向に向けた状態でハウジング２を回路基板Ｃに固定するための、第２固定部７Ｂである（図４〜図６参照）。この固定部７Ｂは、ハウジング２の天壁部６（本発明の「前記回路基板と向き合う面と反対側の側面」に該当する）後端の左右両端部から、後壁部３に沿って上方（底壁部４側と逆側）へ突出され、その後面が後壁部３の壁面と面一となるようにされている。
各固定部７には、ビス９を通すためのコネクタ側ビス孔８が厚さ方向に貫通して設けられている。
【００１４】
次に、上記のように構成された本実施形態の作用および効果について説明する。
【００１５】
まず、基板用コネクタ１を、開口面２Ａが回路基板Ｃの板面方向を向いて回路基板Ｃに取り付ける場合について説明する（図１〜図３参照）。なお、この場合には、端子金具１０Ａのリード部１１Ａは、ハウジング２の後壁部３から後方へ突出された後、下方へＬ字型に折り曲げられている。
【００１６】
このハウジング２を、底壁部４が基板面と対向するようにして、端子金具１０Ａのリード部１１ＡをスルーホールＳに挿通させつつ、回路基板Ｃ上の所定位置に載置する。このとき、２種類の固定部７のうち第１固定部７Ａが回路基板Ｃの面上に位置し、そのコネクタ側ビス孔８Ａが、回路基板Ｃに設けられた基板側ビス孔Ｈと整合する。このとき、一対の第２固定部７Ｂは、ハウジング２の天壁部６から上方へ向かって突出されているので、回路基板Ｃとぶつかって取り付けの支障となるようなことはない。
そして、ビス９を両ビス孔８Ａ、Ｈにねじ付けることにより、基板用コネクタ１が回路基板Ｃに固定される。
【００１７】
次に、基板用コネクタ１を、開口面２Ａが回路基板Ｃの板厚方向（板面方向と直交方向）を向いて回路基板Ｃに取り付ける場合について説明する（図４〜図６参照）。なお、この場合には、端子金具１０Ｂのリード部１１Ｂは、ハウジング２の後壁部３から後方へまっすぐに突出されている。
【００１８】
このハウジング２を、後壁部３が基板面と対向するようにして、端子金具１０Ｂのリード部１１ＢをスルーホールＳに挿通させつつ、回路基板Ｃ上の所定位置に載置する。このとき、２種類の固定部７のうち第２固定部７Ｂが回路基板Ｃの面上に位置し、そのコネクタ側ビス孔８Ｂが、回路基板Ｃに設けられた基板側ビス孔Ｈと整合する。
そして、ビス９を両ビス孔８Ｂ、Ｈにねじ付けることにより、基板用コネクタ１が回路基板Ｃに固定される。
【００１９】
このように、ハウジング２に２種類の固定部７Ａ、７Ｂが設けられているので、どちらの取り付け方向であっても１つのハウジング２で対応することができ、ハウジング２の共用化を図ることができる。
また、一対の第２固定部７Ｂを、ハウジング２の底壁部４と天壁部６とに分けて配するのではなく、天壁部６側に集めて配置している。このため、第１固定部７Ａを使用してハウジング２を回路基板Ｃに取り付ける際に、回路基板Ｃと底壁部４との間に第２固定部７Ｂが介在することがないから、ハウジング２を回路基板Ｃに密着させて配置することができる。
【００２０】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記実施形態では、第１固定部７Ａが側壁部５から、第２固定部７Ｂが天壁部６からそれぞれ突設されていたが、第１固定部、第２固定部がともに同じ面から突設されていても良い。すなわち、図７に示す基板用コネクタ２０のように、第１固定部２１Ａが、ハウジング２２における両側壁部２５の後端よりやや前方から、それぞれ底壁部２４に沿って側方へ突出され、第２固定部２１Ｂが、ハウジング２２における両側壁部２５の後端から、それぞれ後壁部２３に沿って側方へ突出されていてもよい。
【００２１】
（２）上記実施形態では、第１固定部７Ａを両側壁部５の後端付近に設けたが、本発明によれば固定部を設ける位置は上記実施形態の限りではなく、例えば前後方向の中間位置であってもよい。また、同様に第２固定部７Ｂも天壁部６後端の左右両端部に設けられていたが、中間寄りの位置であっても良い。
【図面の簡単な説明】
【００２２】
【図１】開口部を側方に向けて基板用コネクタを回路基板に取り付ける様子を示す斜視図
【図２】開口部を側方に向けて回路基板に取り付けられた基板用コネクタを示す斜視図
【図３】開口部を側方に向けて回路基板に取り付けられた基板用コネクタを示す側断面図
【図４】開口部を上方に向けて基板用コネクタを回路基板に取り付ける様子を示す斜視図
【図５】開口部を上方に向けて回路基板に取り付けられた基板用コネクタを示す斜視図
【図６】開口部を上方に向けて回路基板に取り付けられた基板用コネクタを示す側断面図
【図７】他の実施形態の基板用コネクタを示す斜視図
【符号の説明】
【００２３】
１、２０…基板用コネクタ
２…ハウジング
２Ａ…開口面（嵌合面）
５…側壁部（側面）
６…天壁部（側面）
７Ａ、２１Ａ…第１固定部
７Ｂ、２１Ｂ…第２固定部
Ｃ…回路基板
【図１】
2005150016.tif 000003
【図２】
2005150016.tif 000004
【図３】
2005150016.tif 000005
【図４】
2005150016.tif 000006
【図５】
2005150016.tif 000007
【図６】
2005150016.tif 000008
【図７】
2005150016.tif 000009